(57)【要約】【課題】什器部品等の什器構成部材を什器本体等の什器構成部材に容易に連結することが可能で汎用的に適用できる連結構造、この連結構造を有する什器を提供すること。【解決手段】連結構造であって、ランバーサポート７０に形成される第１係合壁部９７と、  前記ランバーサポート７０に形成される第１係合壁部９７と、前記背凭れ後部支持部材４０に形成され前記第１係合壁部９７が挿入される壁部端部４０Ｆと、前記背凭れ後部支持部材４０に形成され前記第１係合壁部９７と対向する第３壁部４０Ａとを備え、前記第１係合壁部９７は凹部を有し、前記第３壁部４０Ａは前記凹部と対応する凸部４０Ｂを有し、前記第１係合壁部９７が弾性変形することにより、前記凹部と前記凸部が係合することを特徴とする【選択図】図１７
2014079520.tif 000002
【特許請求の範囲】
【請求項１】
什器を構成する第１構成部材と、前記第１構成部材とともに什器を構成する第２構成部材とを、互いに対向させて連結する連結構造であって、
前記第１構成部材の第１の位置に形成され、前記第２構成部材に向かって突出し第１係合部を構成する第１壁部と、
前記第１構成部材の第２位置に形成され、前記第２構成部材に向かって突出し第２係合部を構成する第２壁部と、
前記第２構成部材の前記第１の位置と対応する位置に形成され、前記第１壁部が挿入可能とされるとともに前記第１壁部を前記第２係合部の反対側から支持する第１被係合部と、
前記第２構成部材に形成され、前記第１構成部材に向かって突出するとともに、前記第２壁部の前記第１係合部とは反対側に位置する面と対向可能とされた第２被係合部を構成する第３壁部と、を備え、
前記第２壁部は、前記第３壁部と対向する面に前記第１係合部を構成する少なくとも凸部と凹部のいずれか一方を有し、
前記第３壁部は、前記第２壁部に形成された前記凸部と凹部と対応可能とされる第２被係合部を有し、
前記第２壁部と前記第３壁部は、少なくともいずれか一方が弾性変形可能とされ、前記弾性変形した場合に、前記第２係合部と前記第２被係合部とが係合可能に構成されていることを特徴とする連結構造。
【請求項２】
請求項１に記載の連結構造であって、
前記第１係合部は、
前記第１壁部の先端部に、前記第２係合部とは反対側に向かって突出する第１係合凸片が形成されて略Ｕ字状に開口する第１係合形状部を有し、
前記第１被係合部は、
前記第１係合形状部が係合可能な第１被係合形状部を有することを特徴とする連結構造。
【請求項３】
請求項２に記載の連結構造であって、
前記第１係合形状部は、
前記第１係合凸片が、前記第１壁部の基端側よりも前記第２係合部とは反対側に長く形成されていることを特徴とする連結構造。
【請求項４】
請求項１〜３のいずれか１項に記載の連結構造であって、
前記第２係合部は、
前記第２壁部よりも前記第１係合部側に形成され、前記第１構成部材に向かって突出する第４壁部を有し、
前記第２被係合部は、
前記第４壁部よりも前記第１係合部側に形成され、前記第１構成部材に向かって突出するとともに、前記第３壁部と協働して前記第２壁部及び前記第４壁部を収容する第５壁部を有することを特徴とする連結構造。
【請求項５】
請求項１〜４のいずれか１項に記載の連結構造であって、
前記第１構成部材と前記第１構成部材とが連結された状態において、
前記第１係合部と前記第２係合部の間で、前記第１構成部材と前記第１構成部材が当接するように構成されていることを特徴とする連結構造。
【請求項６】
請求項１〜５のいずれか１項に記載の連結構造であって、
前記第２壁部が弾性変形可能である場合において、前記第１構成部材には、前記第２壁部を弾性変形させて前記第２係合部と前記第２被係合部の係合を解除するための治具を挿入可能な係合解除孔が形成されていることを特徴とする連結構造。
【請求項７】
請求項１〜６のいずれか１項に記載の連結構造を備えることを特徴とする什器。
【発明の詳細な説明】
【技術分野】
【０００１】
本発明は、椅子をはじめとする什器に関して、什器を構成する什器部品等の什器構成部材を容易に連結することが可能な連結構造、及びこの連結構造を有する什器に関するものである。
【背景技術】
【０００２】
周知のように、机、椅子、キャビネットをはじめとする、いわゆる什器が事業所等において広く用いられている。
たとえば、椅子を構成する背部として、脚体から後方かつ上方に向かって延出する背凭れ支持杆に支持され、上枠と下枠とを有する背枠と、この背枠内に配設され弾性変形可能なネット部材とを備えるものが広く知られている。
【０００３】
このような、椅子における各構成部材（椅子本体、構成部品、オプション部品等）同士を取り付ける場合、廃棄時の材料別分別を考慮して、ボルトや接着剤といった外的な固定手段を極力使わないことが、設計要件として要求されている。
【０００４】
そのため、これら椅子については、対向する構成部材を係合部と被係合凹部との係合により相互に止着するとともに、これらを分解する際には、工具を差し入れていずれか部材を変形させることで係合を解除できる構造が、一般的に採用されている（例えば、特許文献１、２参照。）。
【０００５】
しかしながら、上記特許文献１、２に記載された構造では、同一面上に前後方向に対向する係合部と被係合凹部とが設けられていることが一般的であり、全ての係合部と被係合凹部とが係合している状態で最初の一組の係合を外すことが困難であり、又は最後の一組を係合させることも困難であった。そこで、分解時における最初の係合の解除や組立時における最後の係合を強引に行うと、構成部材の破損が発生するという可能性があった。
【０００６】
そこで、前後方向に対向する２つの部材に関して、係合部と係合凹部を異なる面上に形成して、これらを上下方向に移動させることで係合させる構造が開示されている（例えば、特許文献３参照。）。
【０００７】
上記特許文献３に記載された構造は、第１の面(ここではアッパーメンバー２０の張り出し部４２、上向きの面)に形成される係合部と被係合凹部の数を減らすことで、取り付けと解除の実作業工程を減らすことが可能であるとともに、他の面（ここではサイドメンバー１９、前向きの面）に形成される係合部と被係合凹部とが緊密に係合されていなくても脱落が防止されるので、両部材の取り付けと取り外しがともに容易であるというメリットがある。
【先行技術文献】
【特許文献】
【０００８】
【特許文献１】実公昭６２‐０１８７２９号公報
【特許文献２】特許第２６９８７４８号公報
【特許文献３】特開２０１２‐０４０２５３号公報
【発明の概要】
【発明が解決しようとする課題】
【０００９】
しかしながら、第１の部材に上向きの面を設けたうえで、その面に係合部または被係合凹部を設け、第２の部材にも上向きの面を設けて重ね合わせる必要があるので、構成部材を設計するうえで形状に関する制約があり、この構造を採用することが可能な構成部材には限界があった。
一方で、例えば、ランバーサポートのようなオプション部材を、納入した後に現場で、椅子に装着する等、オプション部材を什器本体に容易に装着することが必要とされる場合がある。
【００１０】
そこで、椅子をはじめとする什器に関して、複数の什器構成部材（椅子本体、構成部品、オプション部品等）同士を容易に連結することが可能とされ、汎用的に適用可能な連結構造に対する技術的要請がある。
【００１１】
本発明は、上記事情に鑑みてなされたものであり、複数の什器構成部材を容易に連結することが可能とされ、汎用的に適用可能な連結構造、及びこの連結構造を有する什器を提供することを目的とする。
【課題を解決するための手段】
【００１２】
上記問題を解決するため、この発明は、以下の手段を提案している。
請求項１に記載の発明は、什器を構成する第１構成部材と、前記第１構成部材とともに什器を構成する第２構成部材とを、互いに対向させて連結する連結構造であって、前記第１構成部材の第１の位置に形成され、前記第２構成部材に向かって突出し第１係合部を構成する第１壁部と、前記第１構成部材の第２位置に形成され、前記第２構成部材に向かって突出し第２係合部を構成する第２壁部と、前記第２構成部材の前記第１の位置と対応する位置に形成され、前記第１壁部が挿入可能とされるとともに前記第１壁部を前記第２係合部の反対側から支持する第１被係合部と、前記第２構成部材に形成され、前記第１構成部材に向かって突出するとともに、前記第２壁部の前記第１係合部とは反対側に位置する面と対向可能とされた第２被係合部を構成する第３壁部とを備え、前記第２壁部は、前記第３壁部と対向する面に前記第１係合部を構成する少なくとも凸部と凹部のいずれか一方を有し、前記第３壁部は、前記第２壁部に形成された前記凸部と凹部と対応可能とされる第２被係合部を有し、前記第２壁部と前記第３壁部は、少なくともいずれか一方が弾性変形可能とされ、前記弾性変形した場合に、前記第２係合部と前記第２被係合部とが係合可能に構成されていることを特徴とする。
【００１３】
請求項７に記載の発明は、什器であって、請求項１〜６のいずれか１項に記載の連結構造を備えることを特徴とする。
【００１４】
この発明に係る連結構造、什器によれば、第１構成部材に形成された第１係合部を構成する第１壁部と、第２構成部材に形成され第１壁部が挿入されて第１壁部を支持する第１被係合部が係合し、第１構成部材に形成され第２係合部を構成する第２壁部と、第２構成部材に形成された第２被係合部を構成する第３壁部が、第２壁部と第３壁部のうち少なくともいずれか一方が弾性変形することにより、第２壁部が有する第１係合部を構成する少なくとも凸部と凹部のいずれか一方と、第３壁部が有している第２壁部に形成された凸部と凹部と対応可能とされる第２被係合部と係合して連結される。その結果、什器を構成する複数の構成部材を容易に連結することができる。
【００１５】
この明細書において、什器を構成する什器構成部材とは、什器部品、什器本体を含むものとし、第１の部材、第１構成部材を什器部品、什器本体のいずれに適用するかは、任意に設定することができる。
【００１６】
請求項２に記載の発明は、請求項１に記載の連結構造であって、前記第１係合部は、前記第１壁部の先端部に、前記第２係合部とは反対側に向かって突出する第１係合凸片が形成されて略Ｕ字状に開口する第１係合形状部を有し、前記第１被係合部は、前記第１係合形状部が係合可能な第１被係合形状部を有することを特徴とする。
【００１７】
この発明に係る連結構造によれば、第１係合部は第１壁部の先端部に第２係合部とは反対側に向かって突出する第１係合凸片が形成されて略Ｕ字状に開口する第１係合形状部を有し、第１被係合部は第１係合形状部が係合可能な第１被係合形状部を有するので、第１の位置（第１係合部及び第１被係合部）を支点にして、第２の位置側で第１構成部材と第１構成部材が接近、離間する回動を容易に行うことができる。
【００１８】
また、第１係合部と第２係合部が第１の位置を支点にして回動する場合における同一線上に配置されることにより、同一線上に位置しない複数の係合部を面上で凹凸を合わせながら係合するのに比して、効率的に係合することができる。
【００１９】
請求項３に記載の発明は、請求項２に記載の連結構造であって、前記第１係合形状部は、前記第１係合凸片が、前記第１壁部の基端側よりも前記第２係合部とは反対側に長く形成されていることを特徴とする。
【００２０】
この発明に係る連結構造によれば、Ｕ字状に形成された第１係合形状部のうち、第１係合凸片が、第１壁部の基端側よりも第２係合部とは反対側に長く形成されているので、第１係合部を第１被係合部に係合した状態で第１構成部材を回動する場合に、第１係合部が第１被係合からはずれて脱落するのを抑制することができる。したがって、第１構成部材を効率的に回動させることができる。
【００２１】
請求項４に記載の発明は、請求項１〜３のいずれか１項に記載の連結構造であって、  前記第２係合部は、前記第２壁部よりも前記第１係合部側に形成され、前記第１構成部材に向かって突出する第４壁部を有し、前記第２被係合部は、前記第４壁部よりも前記第１係合部側に形成され、前記第１構成部材に向かって突出するとともに、前記第３壁部と協働して前記第２壁部及び前記第４壁部を収容する第５壁部を有することを特徴とする。
【００２２】
この発明に係る連結構造によれば、第２係合部が第４壁部を有し、第２被係合部が第５壁部を有していて、第３壁部と第５壁部が協働して第２壁部及び第４壁部を収容するように構成されているので、第２係合部と第２被係合部が安定して係合され、第１構成部材と第１構成部材を確実に連結することができる。
【００２３】
請求項５に記載の発明は、請求項１〜４のいずれか１項に記載の連結構造であって、前記第１構成部材と前記第１構成部材とが連結された状態において、前記第１係合部と前記第２係合部の間で、前記第１構成部材と前記第１構成部材が当接するように構成されていることを特徴とする。
【００２４】
この発明に係る連結構造によれば、第１構成部材と第１構成部材とが連結された状態において、第１係合部と第２係合部の間で、互いに当接するように構成されているので、互いの位置が安定するとともに、係合を解除する力が作用しにくくなり、ひいては、第１構成部材と第１構成部材との脱落が確実に防止される。
【００２５】
請求項６に記載の発明は、請求項１〜５のいずれか１項に記載の連結構造であって、前記第２壁部が弾性変形可能である場合において、前記第１構成部材には、前記第２壁部を弾性変形させて前記第２係合部と前記第２被係合部の係合を解除するための治具を挿入可能な係合解除孔が形成されていることを特徴とする。
【００２６】
この発明に係る連結構造によれば、第２壁部が弾性変形可能である場合において、第１構成部材に第２壁部を弾性変形させるための治具を挿入可能な係合解除孔が形成されているので、第２係合部と第２被係合部の係合を解除することができる。
【発明の効果】
【００２７】
本発明に係る連結構造、什器によれば、複数の什器構成部材を容易に連結することができる。
【図面の簡単な説明】
【００２８】
【図１】本発明の第１実施形態に係る椅子を斜め前方から見た斜視図である。
【図２】本発明の第１実施形態に係る椅子の上部を後方から見た斜視図である。
【図３】本発明の第１実施形態に係る椅子の側面図であり、（ａ）は通常時を示す側面図であり、（ｂ）は着座者が背凭れに後傾した状態を示す図である。
【図４】本発明の第１実施形態に係る椅子を正面から見た図である。
【図５】本発明の第１実施形態に係る椅子において、着座者の腰部をランバーサポートにより支持した状態で使用する場合を説明する側面図である。
【図６】本発明の一実施形態に係る椅子の（ａ）通常時を上方から見た斜視図であり、（ｂ）幅方向一方側から後方へと振り向くような姿勢をとった場合を上方から見た斜視図である。
【図７】本発明の第１実施形態に係る椅子に関して、着座者が着座していない状態の図４におけるＰ−Ｐ断面を示す図である。
【図８】本発明の第１実施形態に係る椅子に関して、着座者が着座した状態の図４におけるＰ−Ｐ断面を示す図であり、（ａ）は着座者が正面を向いて着座した状態を示す図であり、（ｂ）は着座者が背中の上部を右側にねじって背凭れに凭れかかった状態を示す図である。
【図９】本発明の第１実施形態に係るランバーサポートを示す図であり、（ａ）は平面図を、（ｂ）は正面から見た図である。
【図１０】本発明の第１実施形態に係る椅子の図９（ｂ）におけるＱ−Ｑ断面を示す図であり、（ａ）はランバーサポート本体の縁部と側枠部材との間に間隙が形成された形態を、（ｂ）はランバーサポート本体の縁部と側枠部材が当接する変形例に係る形態を示す図である。
【図１１】本発明の第１実施形態に係るランバーサポートの概略構成を示す図であり、（ａ）は斜め前方から見た斜視図であり、（ｂ）は斜め後方から見た斜視図である。
【図１２】本発明の第１実施形態に係るランバーサポートの概略構成を説明する図であり、ランバーサポートの構成部材を斜め前方から見た斜視図である。
【図１３】本発明の第１実施形態に係るランバーサポートの概略構成を説明する図であり、ランバーサポートの構成部材を斜め後方から見た斜視図である。
【図１４】本発明の第１実施形態に係るランバーサポートを構成する位置決ブロックを説明する図であり、（ａ）は斜め前方から見た斜視図であり、（ｂ）は斜め後方から見た斜視図である。
【図１５】本発明の第１実施形態に係るランバーサポートを構成する取付ブロックを説明する図であり、（ａ）は斜め前方から見た斜視図であり、（ｂ）は斜め後方から見た斜視図である。
【図１６】本発明の第１実施形態に係るランバーサポート及び背凭れの概略構成を説明する斜視図であり、（ａ）はランバーサポートを背凭れに連結する前の状態を、（ｂ）はランバーサポートを背凭れに連結した状態を示す図である。
【図１７】本発明の第１実施形態に係るランバーサポート及び背凭れの要部詳細を説明する図であり、高さ調整機構を含む断面を側面から見た部分断面図である。
【図１８】本発明の第１実施形態に係るランバーサポート及び背凭れの要部詳細を説明する図であり、中央断面を側面から見た部分断面図である。
【図１９】本発明の第１実施形態に係るランバーサポート及び背凭れの要部詳細を説明する図であり、図１７におけるＲ−Ｒ断面における横断面図である。
【図２０】本発明の第１実施形態に係る連結構造の作用を説明する縦断面図である。
【図２１】本発明の第２実施形態に係る連結構造を説明する図である。
【発明を実施するための形態】
【００２９】
（第１実施形態）
以下、本発明の第１実施形態に係る椅子について、図面を参照して説明する。
図１に示すように、本実施形態に係る椅子１は、床面Ｆ上に設けられた脚体１０と、該脚体１０に支持された背凭れ支持体２０と、該背凭れ支持体２０に設けられ着座者が着座可能な座部３０と、背凭れ支持体２０に支持された背凭れ後部支持部材４０と、該背凭れ後部支持部材４０に支持され着座者の背を支持する背凭れ５０と、背凭れ後部支持部材４０の前方に連結され着座者の腰部を支持するランバーサポート（身体支持部材）７０とを備えている。
【００３０】
以下、各構成の詳細を説明する。なお、以下の説明においては、着座者が着座、離座する方向を前後方向、着座者が着座する側を前方、反対側を後方とし、また、前後方向に直交する水平面内の方向を幅方向とし、幅方向に椅子から離間側を側方とする。
【００３１】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。脚柱１３は、下部が複数の脚杆１２の基端に連結されており、上方に向けて立設されている。また、この脚柱１３の上部には、背凭れ支持体２０を介して背凭れ後部支持部材４０を後傾可能とするリクライニング機構（不図示）が内蔵された支基１４が取り付けられている。
【００３２】
（背凭れ支持体）
背凭れ支持体２０は、支基１４の幅方向両側方に基部が枢着された一対の前向腕部２１と、該前向腕部２１の基部から上方に向かって延出するとともに座部３０を支持する一対の上向腕部２２と、該前向腕部２１の基部から後方に向かって延出する一対の後向腕部２３とを有している。
【００３３】
図２に示すように、この一対の後向腕部２３は、後方に向かうにしたがってしだいに互いに近接するように配され後端にて互いに連結されることで、一体として下向きＶ字状に配されている。そして、一対の後向腕部２３の後端は、後述する背凭れ後部支持部材４０の下部に固定されている。
【００３４】
また、図１に示すように、背凭れ支持体２０には、側方から上方に向かって延出する肘掛け２６が設けられている。
【００３５】
（座部）
図３に示すように、座部３０は、支基１４に対して前後方向にスライド可能に前部が支持されるとともに、背凭れ支持体２０の上向腕部２２に枢着されている。そして、支基１４のリクライニング機構により背凭れ支持体２０が後傾するにともない、座部３０は支基１４に対して相対的に後方に移動するとともに後側を下方に向かって傾動するように構成されている。
【００３６】
（背凭れ後部支持部材）
図２に示すように、背凭れ後部支持部材４０は、背凭れ支持体２０に連結された下部連結部４１と、該下部連結部４１から上方へ向かって延びる変形許容部４２と、該変形許容部４２の上端から上方に向かうにしたがってしだいに幅方向外側に広がるように配された上部連結部４３とを有する。
【００３７】
下部連結部４１は、下部後面に背凭れ支持体２０の一対の後向腕部２３の後端が嵌合する凹部（不図示）が形成されており、一対の後向腕部２３は該凹部に嵌合されている。そして、下部連結部４１は、該凹部にて背凭れ支持体２０の上部と例えば、ボルト・ナット（不図示）による螺着によって固定される。さらに下部連結部４１は、下端にて背凭れ５０に連結されている。
【００３８】
図１及び図４に示すように、変形許容部４２は、下端が下部連結部４１に連結され上方に向かって配され、上端が上部連結部４３に連結されている。また、変形許容部４２は、上方に向かうにしたがって幅方向の長さ寸法がしだいに狭くなり、途中から上方に向かうにしたがって幅方向の長さ寸法が再び広くなるように形成されている。
【００３９】
この変形許容部４２は、前面が凹面、後面が凸面となるように後方に向かって膨出して形成されている。そして、変形許容部４２は、凹面状の形成された前面に、前方に向かって突出し略水平方向に延在する横リブ４２Ａが上下方向に間隔をあけて複数形成され、また前方に向かって突出し略上下方向に延在する縦リブ４２Ｂが椅子１の幅方向に間隔をあけて複数形成されている。
【００４０】
本実施形態では、３本の横リブ４２Ａと横リブ４２Ａの下側に配置されランバーサポート７０と係合する係合リブ４０Ａが形成され、これら横リブ４２Ａ及び係合リブ４０Ａと交差するように縦リブ４２Ｂが２本形成されている。変形許容部４２では、水平断面が後方に向かって膨出する略円弧状に形成されることに加えて、これら横リブ４２Ａ及び縦リブ４２Ｂにより、剛性が高められている。
【００４１】
上部連結部４３は、下端が変形許容部４２に連結され、上方に向かうにしたがってしだいに幅方向外側に広がるように配されている。本実施形態では、上部連結部４３は、上方に向かうにしたがってしだいに互いに幅方向外側に離間するように配された一対の連結片４３Ａ、４３Ｂを有し、一対の連結片４３Ａ、４３Ｂによって全体としてＶ字状に形成されている。
【００４２】
図５に示すように、上記の下部連結部４１、変形許容部４２及び上部連結部４３を構成する一対の連結片４３Ａ，４３Ｂは、一体成形されており、背凭れ後部支持部材４０は、全体として側面視して後方に向かって膨出するように形成されている。なお、図５において、実線は着座者が凭れた場合の状態を、二点鎖線は着座者が凭れていない状態を示している。
【００４３】
つまり、下部連結部４１は、湾曲しつつ全体として上方に向かうにしたがって後方へと向かうように傾斜している。また、上部連結部４３を構成する一対の連結片４３Ａ、４３Ｂは、湾曲しつつ上方に向かうにしたがって前方へと向かうように傾斜している。そして、変形許容部４２は、湾曲しつつ、上部連結部４３と下部連結部４１とを連結している。
【００４４】
（背凭れ）
図２に示すように、背凭れ５０は、着座者の背を受ける張り材５１と、該張り材５１が取り付けられ背凭れ後部支持部材４０における上部連結部４３と連結された上枠部５２と、該上枠部５２と連結されるとともに張り材５１が取り付けられた一対の縦枠部５３Ａ，５３Ｂ（５３）とを有する。
【００４５】
張り材５１は、着座者の背を受け、背の姿勢に応じて変形可能な可撓性を有する部材で構成されている。具体的には、本実施形態ではメッシュ状の素材で形成されているおり、メッシュを構成する糸材が弾性的に伸縮することにより、全体として弾性的に撓み変形可能となっている。この張り材５１は、上枠部５２と一対の縦枠部５３とで囲まれた部分に設けられ、端部がこれら上枠部５２及び一対の縦枠部５３に固定されている。
【００４６】
上枠部５２は、幅方向に沿って延在して、その両端が上部連結部４３における一対の連結片４３Ａ，４３Ｂの上端にそれぞれ連結されるとともに、一対の縦枠部５３Ａ，５３Ｂの上端にそれぞれ連結されている。
【００４７】
一方の縦枠部５３Ａは、下材５７Ａと、該下材５７Ａの上端に連結されて張り材５１から作用する力で弾性変形可能な上材５６Ａとを有している。同様に、他方の縦枠部５３Ｂも、下材５７Ｂと、該下材５７Ｂの上端に連結されて張り材５１から作用する力で弾性変形可能な上材５６Ｂとを有している。
【００４８】
図２及び図５に示すように、下材５７Ａ、５７Ｂは、下端が背凭れ後部支持部材４０の下部連結部４１に連結され、上方に向かうにしたがって、しだいに前方向かい且つ幅方向外側に拡開するように形成されている。また、下材５７Ａ、５７Ｂのそれぞれは、上方に向かうにしたがって、断面寸法が小さくなるように形成されている。
【００４９】
上材５６Ａ，５６Ｂは、着座者の背から作用する荷重に応じて弾性的に捩れ変形可能、且つ弾性的に撓み変形可能に構成されている。
【００５０】
この上材５６Ａ、５６Ｂは、下端がそれぞれ対応する下材５７Ａ、５７Ｂに連結され、上端が上枠部５２及び背凭れ後部支持部材４０の一対の連結片４３Ａ、４３Ｂに連結され、上方に向かうにしたがって下材５７Ａ、５７Ｂよりも相対的に後方へ傾斜するように形成されている。
【００５１】
上材５６Ａ、５６Ｂは、本実施形態では、下材５７Ａ、５７Ｂの上端から上方に向かうにしたがってしだいに後方に傾斜するように形成されている。
【００５２】
このように縦枠部５３Ａ，５３Ｂは、下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成されており、縦枠部５３Ａ，５３Ｂは、全体として前方に向かって凸となるように湾曲形成されている。
【００５３】
図２に示すように、上記の背凭れ後部支持部材４０と縦枠部５３とは、側面視して環状に一体成形されている。本実施形態では、背凭れ後部支持部材４０の下部連結部４１、変形許容部４２、一方の連結片４３Ａ、一方の縦枠部５３Ａの上材５６Ａ及び下材５７Ａにより、側面視して環状の第一の環状部６１を構成している。
【００５４】
また、背凭れ後部支持部材４０の下部連結部４１、変形許容部４２、他方の連結片４３Ｂ、他方の縦枠部５３Ｂの上材５６Ｂ及び下材５７Ｂにより、側面視して環状の第二の環状部６２を構成している。
【００５５】
そして、これら第一の環状部６１及び第二の環状部６２は、下部連結部４１及び変形許容部４２で連結されるとともに、全体として一体成形されている。また、上枠部５２も、第一の環状部６１及び第二の環状部６２のそれぞれの上端を連結されるように一体成形されている。
【００５６】
すなわち、本実施形態では、背凭れ後部支持部材４０の各部と、背凭れ５０の上枠部５２及び一対の縦枠部５３Ａ，５３Ｂとが一体成形されている。
【００５７】
また、図７に示すように、縦枠部５３Ａ，５３Ｂには、その幅方向外側から内側に向かって切り込み部５４Ａ，５４Ｂが形成され、該切り込み部５４Ａ，５４Ｂに張り材５１の幅方向端部が挟み込まれるとともに固定されている。
【００５８】
（ランバーサポート）
ランバーサポート７０は、図３（ａ）、図７に示すように、背凭れ５０を構成する張り材５１の後方側において背凭れ後部支持部材４０の前方側に連結され、側面から見て背凭れ５０の前方に向かって膨出するとともに、この実施形態においては、ランバーサポート７０と張り材５１が接触しないように張り材５１との間に間隙が形成されるように構成されている。
【００５９】
また、ランバーサポート７０は、図９、図１１に示すように、例えば、ランバーサポート本体（サポート部材）７１と、左右一対の側枠部材（面材支持部材）７３Ａ、７３Ｂ（７３）と、取付部材８０と、連結部材９０とを備え、ランバーサポート本体７１は、左右両側の縁部７１Ａ、７１Ｂに位置する支持部にて側枠部材７３Ａ、７３Ｂ（７３）に接続されている。
【００６０】
また、ランバーサポート７０は、側枠部材７３Ａ、７３Ｂ（７３）を取付部材８０によって保持し、取付部材８０に取付けられた連結部材９０を介して背凭れ後部支持部材４０に連結されるようになっている。
【００６１】
また、ランバーサポート７０は、ランバーサポート本体７１の上縁及び下縁の後方が背凭れ５０と間隙が形成されるようになっている。具体的には、ランバーサポート本体７１の上縁及び下縁は、取付部材８０との間に間隙７０Ｈ、７０Ｊが形成されて自由縁とされて、左側の縁部７１Ａと右側の縁部７１Ｂの間においてランバーサポート本体７１の上下方向全域が後方に変形されやすくなっている。
【００６２】
ランバーサポート本体７１は、図１１〜図１３に示すように、例えば、半透明等の透光性を有するウレタン樹脂やエラストマ等の弾性変形可能な軟質材からなり、背凭れ５０の左右方向に延在するシート状の面材とされている。また、左右両側の縁部７１Ａ、７１Ｂの端面から、側枠部材７３Ａ、７３Ｂ（７３）に形成された突出部７５が進入されて側枠部材７３に取付けられ、側枠部材７３の支持形状部に沿うことで、前方に膨出するように形成されている。
【００６３】
側枠部材７３は、側面から見て背凭れ５０の前方に膨出する支持形状部が形成されるとともにランバーサポート本体７１が取付けられる左右一対の側枠部材本体７４Ａ、７４Ｂ（７４）と、左右の側枠部材本体７４Ａ、７４Ｂから突出しランバーサポート本体７１の左右の縁部７１Ａ、７１Ｂに向かって伸びる突出部７５と、差込部７７Ａ、７７Ｂ（７７）とを備えている。
【００６４】
突出部７５は、この実施形態において、側枠部材本体７４Ａ、７４Ｂ（７４）に形成された支持形状部に沿って複数形成されて、ランバーサポート本体７１の左右縁部７１Ａ、７１Ｂを係止するようになっている。かかる構成により、ランバーサポート本体７１は、前方に向かって膨出するようになっている。
【００６５】
突出部７５は、弾性変形可能な材料により形成され、例えば、図１２、図１３に示すように、側枠部材本体７４Ａ、７４Ｂ（７４）から突出する複数の舌片状突出部７５Ａと、この舌片状突出部７５Ａを一つおきに周囲を囲むとともに、囲んだ舌片状突出部７５Ａとの間に貫通孔７６Ｕが画成される有孔係止壁部からなる複数の有孔係止壁部７５Ｂとを備えており、隣接する有孔係止壁部７５Ｂの間は、有孔係止壁部７５Ｂで囲まれていない両隣の舌片状突出部７５Ａとの間に形成される切込７６Ｙにより離間されている。
【００６６】
突出部７５は、例えば、ランバーサポート本体７１を形成する際に、インサート成形することによりランバーサポート本体７１の縁部７１Ａ、７１Ｂの端面からランバーサポート本体７１内に進入するように形成されている。
そして、インサート成形時に、ランバーサポート本体７１の内において、図１０（ａ）、（ｂ）に示すように、貫通孔７６Ｕを通じて突出部７５の厚さ方向に一体成形される壁部７１Ｇによりランバーサポート本体７１を支持するようになっている。
【００６７】
差込部７７Ａ、７７Ｂ（７７）は、側枠部材本体７４Ａ、７４Ｂ（７４）の後方側端部から左右方向内方に屈曲して伸びて形成されており、取付部材８０と連結するための嵌挿係合部を有している。
【００６８】
また、図１０（ａ）に示すように、ランバーサポート本体７１の左右両側の縁部７１Ａ、７１Ｂの端面と側枠部材本体７４Ａ、７４Ｂ（７４）の間には、それぞれ間隙Ｇが形成されていて、ランバーサポート本体７１が突出部７５によって接続されている。
なお、図１０（ｂ）に示すように、ランバーサポート本体７１の縁部７１Ａ、７１Ｂの端面と側枠部材本体７４Ａ、７４Ｂ（７４）の間に間隙Ｇを形成せずに、互いの端部が当接する構成としてもよい。
【００６９】
取付部材８０は、左右方向に延在し左右の側枠部材７３Ａ、７３Ｂ（７３）を連結する連結部８１と、連結部８１の左右方向の中央部において連結され上下方向に延在し連結部材９０を介して背凭れ後部支持部材４０に取付けられる取付部８５とを備えている。
【００７０】
連結部８１は、左右両端部に側枠部材保持部８２Ａ、８２Ｂ（８２）を有しており、側枠部材保持部８２に側枠部材７３の差込部７７を嵌挿することにより側枠部材７３を保持するように構成されている。
【００７１】
また、取付部８５は、前後方向に貫通し上下方向に伸びる連結部材取付孔８５Ｈが形成されるとともに、連結部材取付孔８５Ｈの左右両側周縁部に前後方向に曲線的に凹凸を繰り返す波状形状部８５Ａが形成されている。
【００７２】
図９、図１１に示すように、側枠部材７３を保持側枠部材保持部８２に嵌挿しての取付け部材８０と一体化した状態で、ランバーサポート本体７１の上縁側は、左右の側枠部材７３Ａ、７３Ｂ（７３）を介して取付部材８０と接続され、ランバーサポート本体７１の上縁の左右方向において、側枠部材７３Ａと側枠部材７３Ｂの間に間隙７０Ｈが形成されるようになっている。
【００７３】
また、一方、ランバーサポート本体７１の下縁側は、取付部材８０の連結部８１に対して側枠部材本体７４Ａ、７４Ｂ（７４）を介して片持ちで支持されていて、左右方向において、左右の側枠部材７３Ａ、７３Ｂ（７３）を含めて取付け部材８０との間に間隙８０Ｊが形成されている。
【００７４】
連結部材９０は、位置決ブロック９１と、取付ブロック９５と、固定ねじ９０Ｐとを備えていて、ランバーサポート７０を背凭れ後部支持部材４０に連結するとともに、ランバーサポート７０の上下方向の高さを調整可能とされている。
位置決ブロック９１及び取付ブロック９５は、取付部材８０を前方及び後方から挟みこむように装着され、固定ねじ９０Ｐにより固定されるようになっている。
【００７５】
位置決ブロック９１は、図１４に示すように、位置決ブロック本体９２に、長手方向（上下方向）と直交する断面において後方の左右方向中央側が突出し、長手方向に延在する凸部９２Ｓが形成されていて、固定ねじ９０Ｐが螺合される２つのねじ取付孔９２Ｈが長手方向に間隔をあけて形成されている。
【００７６】
また、位置決ブロック本体９２は、左右両側の縁部近傍には長穴９２Ｂが形成され、長穴９２Ｂの幅方向外方に弾性変形部９２Ｃが構成されるとともに、それぞれの弾性変形部９２Ｃには長手方向中央に後方に向かって突出し、取付部材８０の波状形状部８５Ａと係合する位置決凸部９３が形成されている。この波状形状部８５Ａと位置決凸部９３は、ランバーサポート７０を上下方向にスライドさせて段階的に位置決めされる高さ調整機構を構成している。
【００７７】
この高さ調整機構によれば、図１８に示すように、ランバーサポート７０を、矢印に沿って上下方向に移動した場合に、位置決凸部９３が波状形状部８５Ａの凹部に係合して係止され、高さ調整をすることができるようになっている。
【００７８】
取付ブロック９５は、図１５に示すように、取付ブロック本体９６に、長手方向と直交する断面において前方の左右方向中央側が突出し、長手方向に延在する凸部９６Ｓが形成されていて、固定ねじ９０Ｐを通すための２つの貫通孔９６Ｈが長手方向に間隔をあけて形成されている。
また、凸部９６Ｓは、位置決ブロック９１の凸部９２Ｓと当接することで、位置決ブロック９１と取付ブロック９５の厚さ方向の位置精度を確保するように構成されている。
【００７９】
また、取付ブロック本体９６の上下方向下側（第１の位置）には、取付ブロック本体９６から後方に向かって突出し第１係合部を構成する第１係合壁部（第１壁部）９７が形成され、第１係合壁部９７の先端部には下側（第２係合部と反対側）に突出する第１係合凸片９７Ａが形成されるとともに、下側に開口する略Ｕ字状の第１係合形状部９７Ｕを有している。
また、第１係合凸片９７Ａの先端は、取付ブロック本体９６の下端より上方に位置している。すなわち、取付ブロック本体９６の下端は、第１係合凸片９７Ａの先端よりも下方側に長く形成されている。
【００８０】
また、取付ブロック本体９６の長手方向の上側（第２の位置）には、第２係合部を構成する取付ブロック本体９６から後方に突出する第２係合壁部（第２壁部）９８と、チャネル状壁部９９が形成されていて、この第２係合壁部９８の上側の面（第１係合部とは反対側に位置する面）には、凹部９８Ｕが形成されている。また、第２係合壁部９８の上側には、外部から第２係合壁部９８を弾性変形させるための解除孔９６Ｊが形成されている。
【００８１】
また、チャネル状壁部９９は、第２係合壁部９８に対して取付ブロック本体９６の長手方向下側（第１係合壁部９７側）には、後方側から見て上方が開口するチャネル状に形成され、第２係合壁部９８の左右に配置されるガイド壁部９９Ａ、９９Ｂと第２係合壁部９８の下方に配置される下側ガイド壁部（第４壁部）９９Ｃとを有している。
【００８２】
上記構成の連結部材９０を備えたランバーサポート７０は、図１６に示すように、背凭れ後部支持部材４０に、容易に連結させることができる。したがって、背凭れ５０の張り材５１と背凭れ後部支持部材４０の間においても、ランバーサポート７０の装着、及び取り外しを容易に行うことができる。
【００８３】
図１７〜図１９に示すように、第１被係合壁部９７は、背凭れ後部支持部材４０に第１係合壁部９７と対応する位置に形成された係合孔４０Ｈの下側に位置する背凭れ後部支持部材４０の端部４０Ｆからなり、第１係合壁部９７に形成された係合凸片９７Ａを係合孔４０Ｈに挿入して、第１係合形状部９７Ｕを端部４０Ｆと当接させることで、第１の係合部と第１被係合部が係合するようになっている。このとき、第１係合部と第２係合部の間が、ランバーサポート７０と背凭れ後部支持部材４０が互いの対向面９６Ｃと４０Ｃで当接するようになっている。
【００８４】
また、第２被係合壁部９８は、背凭れ後部支持部材４０に形成され前方に向かって突出する係合リブ４０Ａと、第２被係合壁部９８の上側（第２係合壁部９８の第１係合部とは反対側に位置する）面と係合リブ４０Ａの下側面の面が対向するように位置させて、第２係合壁部９８を下側に弾性変形させて、係合リブ４０Ａの途中から下方に突出する凸部４０Ｂを凹部９８Ｕに挿入させることで、第２係合部と第２被係合部が係合するようになっている。
【００８５】
また、第２被係合部は、係合リブ４０Ａの下方に、係合リブ４０Ａ、縦リブ４２Ｂとともに、第２係合壁部９８と、チャネル状壁部９９の下側ガイド壁部９９Ｃを収容する上側に円弧状に突出する収容壁部（第５壁部）４０Ｅが形成されていて、第２係合壁部９８及びチャネル状壁部９９の下側ガイド壁部９９Ｃが、係合リブ４０Ａ、縦リブ４２Ｂ、収容壁部４０Ｅにより画成される収容凹部に形成されることにより、ランバーサポート７０が、背凭れ後部支持部材４０に確実に連結されるようになっている。
【００８６】
上記第１係合部を構成する第１係合壁部９７を背凭れ後部支持部材４０に形成された第１被係合部と係合させて、第１係合壁部９７を端部４０Fと係合させた状態で連結部材９０の第２係合部側を後方に回動させ、第２係合部を構成する第２係合壁部９８を係合リブ４０Ａに向かって回動するとともに、第２係合壁部９８を係合リブ４０Ａによって弾性変形させて、第２係合壁部９８が背凭れ後部支持部材４０に形成された第２被係合部と係合することで、ランバーサポート７０が背凭れ後部支持部材４０に連結されるようになっている。また、第１係合壁部９７及び第２係合壁部９８が第１被係合部及び第２被係合部に係合された状態で、第１係合壁部９７は第２係合部側に、第２係合壁部９８は第１係合部側に支持されるようになっている。
【００８７】
ランバーサポート７０は、背凭れ後部支持部材４０に堅牢に支持されることから、左右の縦枠部５３Ａ、５３Ｂ（５３）が変形した場合でも縦枠部５３に比較して変形しにくく、その結果、弾性変形に大きな力を要するので、着座者が凭れかかっても着座者の腰部をしっかりと支持することができる。
【００８８】
次に、図３、図５、図６、図７、図８を参照して、椅子１の座部３０に着座者が着座して、背凭れ５０に凭れかかった場合における作用を説明する。
【００８９】
図３（ａ）及び図７は着座者が座部３０に着座して背凭れ５０に凭れかかっていない状態の椅子１を示し、図５、図６（ａ）及び図８（ａ）は着座者が背凭れ５０に凭れかかった状態を示している。
【００９０】
着座者が背凭れ５０に凭れかかると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００９１】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００９２】
一方、上枠部５２の幅方向両端部に連結された一対の縦枠部５３Ａ，５３Ｂは、張り材５１から作用する力により弾性変形するため、着座者の荷重にしたがって着座者の背に追従するように変形して背を張り材５１とともに包み込むように受け止めるとともに、ランバーサポート７０が後方に弾性変形しながら着座者の腰部を後方で支持する。このため、着座者は、安定した状態で着座することができる。
【００９３】
ランバーサポート７０は、背凭れ後部支持部材４０に堅牢に支持されることから、左右の縦枠部５３Ａ、５３Ｂ（５３）が変形した場合でも縦枠部５３に比較して変形しにくく、その結果、弾性変形に大きな力を要するので、着座者が凭れかかっても着座者の腰部をしっかりと支持することができる。
【００９４】
また、縦枠部５３Ａ，５３Ｂを構成する上材５６Ａ，５６Ｂは、張り材５１から作用する力により弾性変形するため、着座者の荷重にしたがって着座者の背に追従にするように変形して背を張り材５１とともに包み込むように受け止めることができる。
【００９５】
また、着座者が、図６（ｂ）に示すように、背凭れ５０の幅方向一方側から後方へと振り向くような姿勢をとった場合には、図８（ｂ）に示すように、着座者からの荷重が、背凭れ５０の幅方向一方側に偏って作用し、偏った側の縦枠部５３Ｂに対して縦枠部５３Ｂを捩れ変形させる荷重が作用する。
【００９６】
ここで、縦枠部５３Ｂにおける上材５６Ｂが、背凭れ５０から作用する力で捩れ変形可能に構成されている。また、連結片４３Ａ，４３Ｂが下方に向かうにしたがって離間する幅を狭めるように形成され互いに接合されて変形許容部４２に連結されているため、変形許容部４２は上材５６Ｂの捩れ変形を促す構成とされている。よって、上材５６Ｂが着座者の荷重にしたがって着座者の背に追従するように後側方に向かって捩れて変形する。
【００９７】
また、上材５６Ｂに連結された連結片４３Ｂは、上材５６Ｂの捩れにともなって変位可能に構成されているため、縦枠部５３Ｂの後側方に向かう捩れにともなって後側方へと変位する。
背凭れ５０における張り材５１は、着座者からの荷重により、該張り材５１のメッシュを構成する糸材が弾性的に伸縮して、着座者の背を包み込むように弾性変形する。
【００９８】
また、ランバーサポート７０は、着座者が凭れかかることにより、ランバーサポート本体７１の上下の自由縁が後方に変形して隙間７０Ｈ、７０Ｇが小さくなる。そして、隙間７０Ｈ、７０Ｇが小さくなるので、ランバーサポート本体７１は、上下方向の全域にわたって、左右方向から着座者を包み込むように変形する。
【００９９】
以下、図２０を参照して、第１の実施形態に係る連結構造の作用について説明する。
まず、図２０（ａ）に示すように、連結部材９０（取付ブロック９５）に形成された第１係合壁部９７の係合凸片９７Ａが、背凭れ後部支持部材４０に形成された係合孔４０Ｈに挿入して、第１係合形状部９７Ｕの上側底部が背凭れ後部支持部材４０の壁部端部４０Ｆに支持させるとともに第１被係合部を係合させる。
そして、第１係合形状部９７Ｕの上側底部と壁部端部４０Ｆとが当接する部分を支点にして、連結部材９０を矢印Ｖ１方向に回動させる。
【０１００】
次に、図２０（ｂ）に示すように、さらに、連結部材９０を矢印Ｖ１方向に回動させて、第２係合壁部９８及びチャネル状壁部９９を、係合リブ４０Ａと収容壁部４０Ｅの間に収容させる。このとき、図２０（ｃ）に示すように、第２係合壁部９８の先端側が下方に撓み、凹部９８Ｕに、係合リブ４０Ａの凸部４０Ｂが嵌挿可能となる。
【０１０１】
次に、図２０（ｃ）に示すように、第２係合壁部９８の凹部９８Ｕに、係合リブ４０Ａの凸部４０Ｂが嵌挿されるとともに、下方に撓んだ第２係合壁部９８の先端側が上方に復帰することによって、連結部材９０の第１係合部と第２係合部が、背凭れ後部支持部材４０の第１被係合部と第２被係合部と係合して、連結部材９０と背凭れ後部支持部材４０が連結される。
【０１０２】
連結部材９０と背凭れ後部支持部材４０の連結を解除する場合は、図２０（ｄ）に示すように、解除孔９６Ｊに矢印ＥにドライバーＤを挿入して、第２係合壁部９８の先端側を矢印Ｗ方向に撓ませる。第２係合壁部９８の先端側を矢印Ｗ方向に撓ませると、凹部９８Ｕが係合リブ４０Ａの凸部４０Ｂから離間する。凹部９８Ｕを凸部４０Ｂから離間させた状態で、連結部材９０を矢印Ｖ２方向に回動することにより第２係合部の係合が解除される。
【０１０３】
以上のように、第１の実施形態に係る連結構造によれば、什器を構成する複数の構成部材を容易に連結することができる。
また、第１の実施形態に係る連結構造によれば、什器を構成する複数の構成部材の連結を容易に解除することができる。
その結果、ランバーサポート７０を背凭れ５０の張り材５１の後方に配置された背凭れ後部支持部材４０に対して、容易に連結することができる。
【０１０４】
第１の実施形態に係る連結構造によれば、第１係合部は第１係合壁部９７の先端部に第１係合凸片９７Ａが形成されて略Ｕ字状に開口する第１係合形状部９７Ｕを有し、第１被係合部は第１係合形状部９７Ｕが係合可能な第１被係合形状部を構成する係合孔４０Ｈ及び壁部端部４０Ｆを有するので、第１係合形状部９７Ｕの底部と背凭れ後部支持部材４０の壁部端部４０Ｆとが当接する部分を支点にして、第２係合部側を容易に回動することができる。
【０１０５】
また、連結部材９０を、回動する場合における同一線上に第１係合部と第２係合部を配置することにより、効率的に係合することができる。
【０１０６】
また、第１の実施形態に係る連結構造によれば、Ｕ字状に形成された第１係合形状部９７Ｕを形成する第１係合凸片９７Ａが、取付ブロック９５よりも下側に長寸に形成されているので、連結部材９０を効率的に回動することができる。
【０１０７】
また、第１の実施形態に係る連結構造によれば、第２係合壁部９８とチャネル状壁部９９を、係合リブ４０Ａと収容壁部４０Ｅの間に収容するように構成されているので、第２係合部と第２被係合部が安定して係合され、ランバーサポート７０を背凭れ後部支持部材４０に確実に連結することができる。
【０１０８】
また、第１の実施形態に係る連結構造によれば、ランバーサポート７０と背凭れ後部支持部材４０が連結された状態において、ランバーサポート７０と背凭れ後部支持部材４０が互いの対向面９６Ｃと４０Ｃで当接するように構成されているので、互いの位置が安定するとともに係合を解除する力が作用しにくくなり、ひいては、ランバーサポート７０が背凭れ後部支持部材４０から脱落するのを確実に防止することができる。
【０１０９】
また、第１の実施形態に係る連結構造によれば、連結部材９０の解除孔９６ＪからドライバーＤを挿入して第２係合壁部９８を弾性変形させることで、第２係合部と第２被係合部の係合を解除することができるので、ランバーサポート７０を背凭れ後部支持部材４０から容易に取り外すことができる。
【０１１０】
（第２実施形態）
以下、図２１を参照して、本発明の第２実施形態に係る連結構造について説明する。
第２の実施形態に係る連結構造が、第１の実施形態に係る連結構造と異なるのは、第２係合部が、連結部材９０（取付ブロック９５）から背凭れ後部支持部材４０側に突出する第２係合壁部１９５Ａと、第２係合壁部１９５Ａから上方に突出する凸部１９５Ｂを有し、第２被係合部が、背凭れ後部支持部材４０から連結部材９０Ａ側に突出する第３壁部１４０と、第３壁部１４０とに形成された凹部１４０Ｕを有していて、第２係合部が第２被係合部と係合して、連結部材９０Ａと背凭れ後部支持部材４０が連結されるように構成されている点である。その他は、第１の実施形態と同様であるので、同じ符号を付して説明を省略する。
【０１１１】
なお、この発明は、上記実施の形態に限定されるものではなく、発明の趣旨を逸脱しない範囲において、種々の変更をすることが可能である。
例えば、上記実施の形態においては、着座者が着座していない状態で、ランバーサポート７０が張り材５１と接触しないように構成される場合について説明したが、着座者が着座していない状態で、ランバーサポート７０が張り材５１と接触するように構成してもよい。
【０１１２】
また、上記実施の形態においては、第１係合壁部９７が第１係合凸片９７Ａを有し第１係合形状部９７Ｕを有している場合について説明したが、第１係合凸片９７Ａや第１係合形状部９７Ｕを有していない第１係合壁部９７を第１の被係合部に支持させる構成としてもよい。
また、上記実施の形態においては、第１被係合部が、貫通孔からなる係合孔４０Ｈと壁部端部４０Ｆを備える場合について説明したが、貫通孔に代えて凹部により構成してもよいし、端部に代えて後方側に延在する面で構成してもよい。
【０１１３】
また、上記実施の形態においては、第１係合壁部９７がひとつの凹部９８Ｕを有し、又は第２係合壁部１９５Ａがひとつの凸部１９５Ｂを有する場合について説明したが、これら凹部や凸部の数、形状、配置は任意に設定することができる。例えば、凹部と対応する凸部を同一の数としなくてもよいし、第２壁部と第３壁部を構成する壁部が、それぞれ対応可能な凹部と凸部の双方を有していてもよい。
【０１１４】
また、上記実施の形態においては、第３壁部が、係合リブ４０Ａにより構成される場合について説明したが、独立した壁部等の形態で設けてもよい。
また、上記実施の形態においては、第１係合壁部９７、１９５Ａが弾性変形する場合について説明したが、第３壁部が弾性変形してもよいし、第２壁部と第３壁部の双方が弾性変形する構成としてもよい。
【０１１５】
また、上記実施の形態においては、第１係合部と第２係合部の間が、ランバーサポート７０と背凭れ後部支持部材４０が互いの対向面９６Ｃと４０Ｃで当接するように構成される場合について説明したが、対向面９６Ｃ、４０Ｃ同士が当接しない構成としてもよい。
【０１１６】
また、下側ガイド壁部９９Ｃや収容壁部４０Ｅを設けるかどうかは、任意に設定することができる。
また、連結部材９０に、解除孔９６Ｊを設けるかどうかは、任意に設定することができる。
【０１１７】
また、上記実施の形態においては、第１構成部材がランバーサポート７０とされ、第２構成部材が椅子１を構成する背凭れ後部支持部材４０である場合について説明したが、構成部材として、ランバーサポート７０以外のヘッドレスト等の什器の構成部品に適用してもよいし、什器に関して、椅子のほか、キャビネット等に適用してもよい。
【０１１８】
また、上記実施の形態においては、連結部材９０が、第１係合部と第２係合部とが上下方向に配置されて取付けられる場合について説明したが、第１係合部と第２係合部とを水平方向に配置し、又は斜め方向に配置してもよい。
【０１１９】
また、上記実施の形態においては、ランバーサポート７０を、張り材５１の後方にて背凭れ後部支持部材４０に取付ける場合について説明したが、ランバーサポート７０が張り材５１の前方側に配置してもよい。
【０１２０】
また、上記第１、第２の実施の形態のほか、第１、第２の係合部及び第１、第２の被係合部の構成に関して、種々の組み合わせをしてもよい。
【産業上の利用可能性】
【０１２１】
本発明に係る連結構造、什器によれば、什器を構成する構成部材を容易に連結することができるので、産業上利用可能である。
【符号の説明】
【０１２２】
１  椅子
４０  背凭れ後部支持部材（第２構成部材）
４０Ａ  係合リブ（第３壁部）
４０Ｂ  凸部
４０Ｅ  収容壁部（第５壁部）
４０Ｆ  壁部端部
４０Ｈ  係合孔
４１  下部連結部
５０  背凭れ
５１  張り材
７０  ランバーサポート（第１構成部材）
７３  側枠部材（面材支持部材）
９０、９０Ａ  連結部材
９６Ｊ  解除孔
９７  第１係合壁部（第１壁部）
９７Ａ  第１係合凸片
９７Ｕ  第１係合形状部
９８  第２係合壁部（第２壁部）
９８Ｕ  凹部
９９Ｃ  下側ガイド壁部（第４壁部）
１４０  第３壁部
１４０Ｕ  凹部
１９８Ａ  第２係合壁部
１９８Ｂ  凸部
【図１】
2014079520.tif 000003
【図２】
2014079520.tif 000004
【図３】
2014079520.tif 000005
【図４】
2014079520.tif 000006
【図５】
2014079520.tif 000007
【図６】
2014079520.tif 000008
【図７】
2014079520.tif 000009
【図８】
2014079520.tif 000010
【図９】
2014079520.tif 000011
【図１０】
2014079520.tif 000012
【図１１】
2014079520.tif 000013
【図１２】
2014079520.tif 000014
【図１３】
2014079520.tif 000015
【図１４】
2014079520.tif 000016
【図１５】
2014079520.tif 000017
【図１６】
2014079520.tif 000018
【図１７】
2014079520.tif 000019
【図１８】
2014079520.tif 000020
【図１９】
2014079520.tif 000021
【図２０】
2014079520.tif 000022
【図２１】
2014079520.tif 000023